(57)【要約】      （修正有）【課題】情報処理装置の実装エリアを有効に活用し、用途に応じたディスク構成が可能な実装方法を提供する。【解決手段】コンピュータ装置２０が備える少なくとも１つのＰＣＩコネクタ（１〜５）に、ディスク装置（ＨＤＤ）を接続可能な接続インタフェースに変換するディスク実装用アダプタ１７を接続する。ディスク装置実装用アダプタ１７は、ＨＤＤ装置用コネクタ１２、１８とＰＣＩ−ＲＡＩＤカードの様な他のＰＣＩカードと接続するための制御ケーブル１４を接合可能な制御ケーブル接続コネクタ１３を有し、ＰＣＩカードスロットを使用してＨＤＤ増設を可能にする。【選択図】図１
2010191912.tif 000002
【特許請求の範囲】
【請求項１】
情報処理装置が備えるＰＣＩインタフェースを、ディスク装置を接続可能な接続インタフェースに変換するディスク実装用アダプタを備えた
ことを特徴とするディスク装置実装方式。
【請求項２】
ディスク装置実装用アダプタは、ディスク装置を接続するための複数の接続部を含む
請求項１記載のディスク装置実装方式。
【請求項３】
ディスク装置実装用アダプタは、情報処理装置が備えるＰＣＩインタフェースから出力される電圧をディスク装置が動作可能な電圧に変換して出力する電圧変換部を含む
請求項１又は請求項２記載のディスク装置実装方式。
【請求項４】
ディスク装置を制御可能なＰＣＩカードを備え、
前記ＰＣＩカードは、情報処理装置が備えるＰＣＩインタフェースのうちディスク装置実装用アダプタが接続されているＰＣＩインタフェース以外のＰＣＩインタフェースに接続され、
ディスク装置実装用アダプタは、前記ＰＣＩカードと接続可能なＰＣＩカード用接続部を搭載し、前記ＰＣＩカード用接続部を介して前記ＰＣＩカードと接続される
請求項１から請求項３のうちのいずれか１項に記載のディスク装置実装方式。
【請求項５】
ディスク装置実装用アダプタとＰＣＩカードとが一体に形成されたモジュールを備えた
請求項４記載のディスク装置実装方式。
【請求項６】
情報処理装置が備えるＰＣＩインタフェースを、ディスク装置を接続可能な接続インタフェースに変換するインタフェース変換手段を備えた
ことを特徴とするディスク装置実装用アダプタ。
【請求項７】
ディスク装置を接続するための複数の接続部を含む
請求項６記載のディスク装置実装用アダプタ。
【発明の詳細な説明】
【技術分野】
【０００１】
本発明は、情報処理装置にディスク装置を実装するディスク装置実装方式、ディスク装置実装方法、及びディスク装置実装用アダプタに関する。
【背景技術】
【０００２】
パーソナルコンピュータ等の情報処理装置にディスク装置を実装する場合、ＰＣＩカードであればＰＣＩカード用のスロットに実装し、ハードディスクドライブ（以下、ＨＤＤ）であればＨＤＤ用のスロットに実装する。
【０００３】
また、例えば、特許文献１に記載された装置は、デバイスベイに対応した周辺機器と接続する任意のインタフェース信号をＰＣＩインタフェースに信号変換する信号変換装置を設けることで、異なるインタフェースの周辺機器を接続することが可能である。
【先行技術文献】
【特許文献】
【０００４】
【特許文献１】特開平１１−１７５２０６号公報（段落００２０）
【発明の概要】
【発明が解決しようとする課題】
【０００５】
しかし、ＰＣＩカード用のスロットとＨＤＤ用のスロットとを設けるようにすると、それぞれ専用スロットが必要となるため、実装エリアが増大してしまうという課題がある。また、搭載された専用スロットの数以上のＨＤＤを実装することができないという課題がある。また、ＰＣＩスロットエリアにＨＤＤを実装することも考えられるが、１つのスロットに複数台のＨＤＤを実装することはできない。さらに、そのままＨＤＤを実装してもＨＤＤのＨｏｔＰｌｕｇができないと言う課題がある。
【０００６】
また、特許文献１に記載された装置では、１つのデバイスベイに１つの周辺機器が接続できるにすぎず、例えば、デバイスベイの数以上のＨＤＤを実装することはできない。
【０００７】
そこで、本発明は、情報処理装置の実装エリアを有効に活用し、用途に応じた構成をすることができるディスク装置実装方式、ディスク装置実装方法、及びディスク装置実装用アダプタを提供することを目的とする。
【課題を解決するための手段】
【０００８】
本発明によるディスク装置実装方式は、情報処理装置が備えるＰＣＩインタフェースを、ディスク装置を接続可能な接続インタフェースに変換するディスク実装用アダプタを備えたことを特徴とする。
【０００９】
本発明によるディスク装置実装用アダプタは、情報処理装置が備えるＰＣＩインタフェースを、ディスク装置を接続可能な接続インタフェースに変換するインタフェース変換手段を備えたことを特徴とする。
【発明の効果】
【００１０】
本発明によれば、情報処理装置の実装エリアを有効に活用し、用途に応じた構成をすることができる。
【図面の簡単な説明】
【００１１】
【図１】本発明によるコンピュータ装置の構成例を示す説明図である。
【図２】コンピュータ装置２０とＰＣＩカード用ＭＯＤＵＬＥ２６及びＨＤＤ用ＭＯＤＵＬＥ２７との接続構成例を示す斜視図である。
【図３】ＰＣＩカード用ＭＤＵＬＥ２６及びＨＤＤ用ＭＯＤＵＬＥ２７内の接続構成例を示す斜視図である。
【図４】第２の実施形態によるコンピュータ装置の構成例を示す斜視図である。
【図５】第２の実施形態によるコンピュータ装置の構成例を示す斜視図である。
【図６】情報処理装置の最小の構成例を示すブロック図である。
【発明を実施するための形態】
【００１２】
実施形態１．
以下、本発明の第１の実施形態について図面を参照して説明する。図１は、本発明によるコンピュータ装置の構成例を示す説明図である。図１（ａ）に示すように、コンピュータ装置２０は、汎用ＰＣＩカードと接続可能なＰＣＩインタフェース（以下、ＰＣＩ−Ｉ／Ｆ）１〜５、及びＩＯコントローラ１９を備えている。
【００１３】
また、コンピュータ装置２０のＰＣＩ−Ｉ／Ｆ１には、ＰＣＩカードアダプタ９を介して、ＰＣＩカード８が接続される。また、コンピュータ装置２０のＰＣＩ−Ｉ／Ｆ５には、ＰＣＩ−ＨＤＤ変換アダプタ１７を介して、ＨＤＤ６，７が接続される。
【００１４】
図１（ａ）に示すように、ＰＣＩカードアダプタ９は、ＰＣＩ−Ｉ／Ｆ１に接続されている。また、ＰＣＩカード８は、ＰＣＩカードアダプタ９に接続されている。また、ＰＣＩ−ＨＤＤ変換アダプタ接続１７は、ＰＣＩ−Ｉ／Ｆ５に接続されている。また、ＨＤＤ６及びＨＤＤ７は、ＰＣＩ−ＨＤＤ変換アダプタ１７に接続されている。
【００１５】
ＰＣＩカードアダプタ９は、ＰＣＩ−Ｉ／Ｆ１と接続するＰＣＩ−Ｉ／Ｆ接続コネクタ１５、及び汎用のＰＣＩカード８と接続するＰＣＩスロット１６を搭載している。
【００１６】
なお、本実施形態では、コンピュータ装置２０が、ＰＣＩ−Ｉ／Ｆを５つ搭載している場合を説明するが、５つに限らず、例えば、２つであってもかまわない。また、本実施形態では、コンピュータ装置２０がバス接続インタフェースとして、ＰＣＩ−Ｉ／Ｆを備える場合を説明するが、ＰＣＩに限らず、例えば、ＰＣＩＥｘｐｒｅｓｓであってもよい。
【００１７】
図１（ｂ）に示すように、ＰＣＩ−ＨＤＤ変換アダプタ１７は、ＰＣＩ−Ｉ／Ｆ接続コネクタ１０、ＤＣ／ＤＣ変換部１１、ＨＤＤコネクタ１２，１８、制御ケーブル接続コネクタ１３を搭載している。
【００１８】
ＰＣＩ−Ｉ／Ｆ接続コネクタ１０は、ＰＣＩ−Ｉ／Ｆ５と接続される。ＤＣ／ＤＣ変換部１１は、ＰＣＩ−Ｉ／Ｆからの給電をＨＤＤ用に電圧変換してＨＤＤコネクタへ電源供給する機能を備えている。
【００１９】
ＨＤＤコネクタ１２は、ＨＤＤ６と接続され、ＨＤＤに電源供給する機能を備えている。また、ＨＤＤコネクタ１２は、ＨＤＤに対する制御ポートを搭載している。ＨＤＤコネクタ１８は、ＨＤＤ７と接続され、ＨＤＤに電源供給する機能を備えている。また、ＨＤＤコネクタ１８は、ＨＤＤに対する制御ポートを搭載している。
【００２０】
制御ケーブル接続コネクタ１３は、汎用のＰＣＩカード８と接続する制御ケーブル１４と接続される。なお、本実施形態で用いる汎用のＰＣＩカード８は、ＨＤＤを制御可能（例えば、ＨＤＤへのデータの読み書きなどを制御する）なＨＤＤコントローラカードである。
【００２１】
また、ＰＣＩ−Ｉ／Ｆ５に接続されたＰＣＩ−ＨＤＤ変換アダプタ１７は、ＰＣＩ−Ｉ／Ｆ５からの給電をＤＣ／ＤＣ変換部１１でＨＤＤ用に電圧変換する。そして、ＰＣＩ−ＨＤＤ変換アダプタ１７は、ＨＤＤ接続コネクタ１２，１８とそれぞれ接続するＨＤＤ６，７に電源供給する。また、ＰＣＩ−ＨＤＤ変換アダプタ１７に接続されたＨＤＤ１２，１８の制御は、他のＰＣＩ−Ｉ／Ｆ１に実装した汎用のＰＣＩカード８から、制御ケーブル１４を経由して行う。
【００２２】
なお、本実施形態では、ＰＣＩ−ＨＤＤ変換アダプタ１７は、ＨＤＤ接続コネクタを２つ搭載し、それぞれにＨＤＤを接続しているが、２つに限らず、例えば、ＨＤＤ接続コネクタを３以上搭載し、それぞれにＨＤＤを接続してもよい。また、本実施形態では、ディスク装置としてＨＤＤを実装する場合を説明するが、ＨＤＤに限らず、例えば、光ディスク装置であってもよい。
【００２３】
次に、コンピュータ装置２０とＰＣＩカード用ＭＯＤＵＬＥ２６及びＨＤＤ用ＭＯＤＵＬＥ２７との接続構成について説明する。図２は、コンピュータ装置２０とＰＣＩカード用ＭＯＤＵＬＥ２６及びＨＤＤ用ＭＯＤＵＬＥ２７との接続構成例を示す斜視図である。
【００２４】
図２（ａ）に示すように、コンピュータ装置２０は、ＰＣＩカード用ＭＤＵＬＥ２６及びＨＤＤ用ＭＯＤＵＬＥ２７を実装可能なＭＯＤＵＬＥ実装スロットを５つ（図中にはＭＯＤＵＬＥ実装スロット２１，２５のみ表示）搭載している。そして、コンピュータ装置２０は、ＭＯＤＵＬＥ実装スロット２１にＰＣＩカード用ＭＯＤＵＬＥ２６を実装し、ＭＯＤＵＬＥ実装スロット２５にＨＤＤ用ＭＯＤＵＬＥ２７を実装している。
【００２５】
また、ＨＤＤ用ＭＯＤＵＬＥ２７は、ＨＤＤスロット３２にＨＤＤ６を実装し、ＨＤＤスロット３３にＨＤＤ７を実装している。
【００２６】
図２（ｂ）に示すように、コンピュータ装置２０は、ＰＣＩ  ＭＯＴＨＥＲ  ＢＯＡＲＤ２８を実装しており、ＰＣＩ−Ｉ／ＦとなるＭＯＤＵＬＥ接続コネクタを５つ（図中にはＭＯＤＵＬＥ接続コネクタ２９，３０のみ表示）搭載している。
【００２７】
また、ＭＯＤＵＬＥ接続コネクタ３０は、ＰＣＩカード用ＭＯＤＵＬＥ２６が搭載するＰＣＩ−Ｉ／Ｆコネクタ１５が接続されている。また、ＭＯＤＵＬＥ接続コネクタ２８は、ＨＤＤ用ＭＯＤＵＬＥ２７が搭載するＰＣＩ−Ｉ／Ｆコネクタ１０が接続されている。
【００２８】
また、ＨＤＤ用ＭＯＤＵＬＥ２７が搭載する制御ケーブル接続コネクタ１３と、ＰＣＩカード用ＭＤＵＬＥ２６が搭載する制御ケーブル接続コネクタ３１とは、制御ケーブル１４を介して相互に接続されている。
【００２９】
なお、本実施形態では、コンピュータ装置２０は、ＭＯＤＵＬＥ実装スロットとＭＯＤＵＬＥ接続コネクタとをそれぞれ５つずつ搭載している場合を説明するが、５つに限らず、例えば、それぞれ２つずつ搭載していてもよい。
【００３０】
次に、ＰＣＩカード用ＭＤＵＬＥ２６及びＨＤＤ用ＭＯＤＵＬＥ２７内の接続構成について説明する。図３は、ＰＣＩカード用ＭＤＵＬＥ２６及びＨＤＤ用ＭＯＤＵＬＥ２７内の接続構成例を示す斜視図である。
【００３１】
図３（ａ）に示すように、ＰＣＩカード用ＭＯＤＵＬＥ２６のＰＣＩカードアダプタ９は、ＰＣＩ−Ｉ／Ｆ接続コネクタ１５とＰＣＩスロット４２とを搭載している。ＰＣＩスロット４２は、スロット口を上面とすると、下面がＰＣＩカードアダプタ９と接着するように搭載されている。また、ＰＣＩ−Ｉ／Ｆ接続コネクタ１５は、接続部が左横方向を向くようにＰＣＩカードアダプタ９に搭載されている。そして、ＰＣＩカード８は、ＰＣＩスロット４２の上面からスロット口に差し込まれることで実装される。
【００３２】
図３（ｂ）に示すように、ＨＤＤ用ＭＯＤＵＬＥ２７のＰＣＩ−ＨＤＤ変換アダプタ１７は、ＨＤＤ接続コネクタ１２,１８とを右横側の面に搭載し、その背面に制御ケーブル接続コネクタ１３とＰＣＩ−Ｉ／Ｆ接続コネクタ１０とを搭載している。そして、ＰＣＩ−ＨＤＤ変換アダプタ１７は、ＨＤＤ６，７をＨＤＤ接続コネクタ１２，１８に実装している。
【００３３】
以上のように、本実施形態では、ＰＣＩ−Ｉ／ＦにＰＣＩカードアダプタを接続し、そのＰＣＩカードアダプタにＰＣＩカードを実装することで、ＰＣＩ−Ｉ／ＦにＰＣＩカードを実装することができる。また、ＰＣＩ−Ｉ／ＦにＰＣＩ-ＨＤＤ変換アダプタ接続し、そのＰＣＩ−ＨＤＤ変換アダプタにＨＤＤを接続することで、ＰＣＩ−Ｉ／Ｆに複数台のＨＤＤを実装することができる。従って、共通のＰＣＩ−Ｉ／Ｆに対してＨＤＤ及びＰＣＩカードのどちらも実装することができ、実装エリアを有効活用することができる。例えば、ＨＤＤ専用のスロットを設けなくても、共通のＰＣＩスロットを用いてＨＤＤ及びＰＣＩカードの両方を接続することができる。また、用途や必要数量に応じて自由にＨＤＤ、ＰＣＩカードを実装又は接続することができる。
【００３４】
また、本実施形態では、ＰＣＩカードアダプタは、ＰＣＩ−Ｉ／Ｆと接続するＰＣＩ−Ｉ／Ｆ接続コネクタ、及び汎用ＰＣＩカードと接続するＰＣＩスロットを搭載する。
【００３５】
また、ＰＣＩ−ＨＤＤ変換アダプタは、ＰＣＩ−Ｉ／Ｆと接続するＰＣＩ−Ｉ／Ｆ接続コネクタ、ＰＣＩ−Ｉ／Ｆからの給電をＨＤＤ用の電圧に変換してＨＤＤコネクタに電源供給するＤＣ／ＤＣ変換部、ＨＤＤと接続しＨＤＤへ電源供給及び制御ポートを持つＨＤＤコネクタ、及び汎用のＰＣＩカード（ＨＤＤコントローラカード）と接続する制御ケーブルと接続する制御ケーブル接続コネクタを備えている。
【００３６】
そして、ＰＣＩ−Ｉ／Ｆに接続したＰＣＩ−ＨＤＤ変換アダプタは、ＰＣＩ−Ｉ／Ｆからの給電をＤＣ／ＤＣ変換部でＨＤＤ用に電圧変換し、ＰＣＩ−ＨＤＤ変換アダプタと接続するＨＤＤに供給する。また、他のＰＣＩ−Ｉ／Ｆに実装した汎用のＰＣＩカード（ＨＤＤコントローラカード）は、制御ケーブルを介して、ＰＣＩ−ＨＤＤ変換アダプタに接続されたＨＤＤの制御を行う。従って、ＨＤＤとＰＣＩカードとを共通のスロットに実装した場合であっても、ＰＣＩカードがＨＤＤを制御することができる。
【００３７】
これにより、共通のＰＣＩ−Ｉ／Ｆにおいて、複数台のＨＤＤ及び汎用ＰＣＩカードの実装、制御をすることができる。また、ＰＣＩ−ＨＤＤ変換アダプタを経由してＨＤＤを実装することにより、コンピュータ装置背面からのＨＤＤのＨｏｔＰｌｕｇをすることができる。例えば、ＰＣＩ−ＨＤＤ変換アダプタ１７のＤＣ／ＤＣ変換部１１によってＨＤＤが動作可能な電圧に変換されて供給されるので、ＰＣＩスロットに実装した場合であってもＨＤＤを動作させることができる。
【００３８】
従って、ＰＣＩカード用ＭＯＤＵＬＥ、ＨＤＤ用ＭＯＤＵＬＥ、及びＨＤＤをコンピュータ装置の背面に設けたスロットから個別に実装／取り外し（ＨｏｔＰｌｕｇ）ができ、用途や必要数量に応じて接続構成の変更をすることができる。
【００３９】
実施形態２．
以下、本発明の第２の実施形態について図面を参照して説明する。図４，５は、第２の実施形態によるコンピュータ装置の構成例を示す斜視図である。
【００４０】
図４に示すように、コンピュータ装置２０は、搭載するＭＯＤＵＬＥ実装スロットのうち、ＭＯＤＵＬＥ実装スロット２１，２２の２スロットに対して、１つのＰＣＩカード／ＨＤＤ用ＭＯＤＵＬＥ５１を実装する。
【００４１】
そして、ＰＣＩカード／ＨＤＤ用ＭＯＤＵＬＥ５１は、ＨＤＤ６，７とＨＤＤコントローラであるＰＣＩカード８とを実装している。
【００４２】
ＰＣＩカード／ＨＤＤ用ＭＯＤＵＬＥ５１とＰＣＩ  ＭＯＴＨＥＲ  ＢＯＡＲＤ２８との接続は、第１の実施形態と同様である。
【００４３】
また、ＰＣＩカード／ＨＤＤ用ＭＯＤＵＬＥ５１内のＰＣＩカードアダプタ９、ＰＣＩ−ＨＤＤ変換アダプタ１７、及びそれらの接続も第１の実施形態と同様である。
【００４４】
なお、例えば、ＰＣＩカード／ＨＤＤ用ＭＯＤＵＬＥ５１に実装するＨＤＤやＰＣＩカードの数量を増やして、１つのＰＣＩカード／ＨＤＤ用ＭＯＤＵＬＥ５１あたりＭＯＤＵＬＥ実装スロットを３スロット又は４スロット使用しても良い。
【００４５】
以上のように、本実施形態では、ＰＣＩカード／ＨＤＤ用ＭＯＤＵＬＥは、ＰＣＩ−ＨＤＤ変換アダプタと、ＰＣＩカードアダプタとを搭載する。そして、ＰＣＩ−Ｉ／ＦにＰＣＩカードアダプタを接続し、そのＰＣＩカードアダプタにＰＣＩカードを実装することで、ＰＣＩ−Ｉ／ＦにＰＣＩカードを実装することができる。また、ＰＣＩ−Ｉ／ＦにＰＣＩ-ＨＤＤ変換アダプタ接続し、そのＰＣＩ−ＨＤＤ変換アダプタにＨＤＤを接続することで、ＰＣＩ−Ｉ／Ｆに複数台のＨＤＤを実装することができる。従って、共通のＰＣＩ−Ｉ／Ｆに対してＨＤＤ及びＰＣＩカードのどちらも実装することができ、実装エリアを有効活用することができる。例えば、ＨＤＤ専用のスロットを設けなくても、共通のＰＣＩスロットを用いてＨＤＤ及びＰＣＩカードの両方を接続することができる。また、用途や必要数量に応じて自由にＨＤＤ、ＰＣＩカードを実装又は接続することができる。
【００４６】
また、本実施形態では、ＰＣＩ−Ｉ／Ｆに接続したＰＣＩ−ＨＤＤ変換アダプタは、ＰＣＩ−Ｉ／Ｆからの給電をＤＣ／ＤＣ変換部でＨＤＤ用に電圧変換し、ＰＣＩ−ＨＤＤ変換アダプタと接続するＨＤＤに供給する。また、他のＰＣＩ−Ｉ／Ｆに実装した汎用のＰＣＩカード（ＨＤＤコントローラカード）は、制御ケーブルを介して、ＰＣＩ−ＨＤＤ変換アダプタに接続されたＨＤＤの制御を行う。従って、ＨＤＤとＰＣＩカードとを共通のスロットに実装した場合であっても、ＰＣＩカードがＨＤＤを制御することができる。
【００４７】
これにより、共通のＰＣＩ−Ｉ／Ｆにおいて、複数台のＨＤＤ及び汎用ＰＣＩカードの実装、制御をすることができる。また、ＰＣＩ−ＨＤＤ変換アダプタを経由してＨＤＤを実装することにより、コンピュータ装置背面からのＨＤＤのＨｏｔＰｌｕｇをすることができる。例えば、ＰＣＩ−ＨＤＤ変換アダプタ１７のＤＣ／ＤＣ変換部１１によってＨＤＤが動作可能な電圧に変換されて供給されるので、ＰＣＩスロットに実装した場合であってもＨＤＤを動作させることができる。
【００４８】
従って、ＰＣＩカード／ＨＤＤ用ＭＯＤＵＬＥ、及びＨＤＤをコンピュータ装置の背面に設けたスロットから個別に実装／取り外し（ＨｏｔＰｌｕｇ）ができ、用途や必要数量に応じて接続構成の変更をすることができる。
【００４９】
次に、本発明による情報処理装置１００の最小構成について説明する。図６は、情報処理装置１００の最小の構成例を示すブロック図である。図６に示すように、情報処理装置１００は、最小の構成要素として、情報処理装置１００が備えるＰＣＩインタフェースをディスク装置の接続インタフェースに変換して、情報処理装置１００にディスク装置を実装するディスク装置実装用アダプタ１０１を含む。
【００５０】
図６に示す最小構成の情報処理装置１００によれば、ディスク装置実装用アダプタ１０１は、情報処理装置１００が備えているＰＣＩインタフェースと異なる接続インタフェースを備えているディスク装置を情報処理装置１００に実装する。従って、接続インタフェースの種別に制限されることなく、情報処理装置１００の実装エリアを有効に活用し、必要に応じて構成を変更することができる。
【００５１】
なお、本実施形態では、以下の（１）〜（５）に示すようなディスク装置実装方式の特徴的構成が示されている。
【００５２】
（１）ディスク装置実装方式は、情報処理装置（例えば、コンピュータ装置２０）が備えるＰＣＩインタフェース（例えば、ＰＣＩ−Ｉ／Ｆ１）を、ディスク装置（例えば、ＨＤＤ６）を接続可能な接続インタフェースに変換するディスク実装用アダプタ（例えば、ＰＣＩ−ＨＤＤ変換アダプタ１７によって実現される）を備えたことを特徴とする。
【００５３】
（２）ディスク装置実装方式において、ディスク装置実装用アダプタは、ディスク装置（例えば、ＨＤＤ６，７）を接続するための複数の接続部（例えば、ＨＤＤ接続コネクタ１２，１８）を含むように構成されていてもよい。
【００５４】
（３）ディスク装置実装方式において、ディスク装置実装用アダプタは、情報処理装置が備えるＰＣＩインタフェース（例えば、ＰＣＩ−Ｉ／Ｆ１）から出力される電圧をディスク装置が動作可能な電圧に変換して出力する電圧変換部（例えば、ＤＣ／ＤＣ変換部１１によって実現される）を含むように構成されていてもよい。
【００５５】
（４）ディスク装置実装方式は、ディスク装置を制御可能なＰＣＩカード（例えば、ＰＣＩカード８）を備え、ＰＣＩカードは、情報処理装置が備えるＰＣＩインタフェースのうちディスク装置実装用アダプタが接続されているＰＣＩインタフェース以外のＰＣＩインタフェース（例えば、ＰＣＩ−Ｉ／Ｆ１）に接続され、ディスク装置実装用アダプタは、ＰＣＩカードと接続可能なＰＣＩカード用接続部（例えば、ケーブル接続コネクタ１３）を搭載し、ＰＣＩカード用接続部を介してＰＣＩカードと接続されるように構成されていてもよい。
【００５６】
（５）ディスク装置実装方式は、ディスク装置実装用アダプタとＰＣＩカードとが一体に形成されたモジュール（例えば、ＰＣＩカード／ＨＤＤ用ＭＯＤＵＬＥ５１によって実現される）を備えるように構成されていてもよい。
【産業上の利用可能性】
【００５７】
本発明は、コンピュータ装置が搭載するＰＣＩスロットエリアが、ＰＣＩカードとＨＤＤとのいずれも接続可能な機能を備えているため、実装エリアを有効に活用し、必要に応じた接続構成をする用途に適用可能である。
【符号の説明】
【００５８】
１〜５  ＰＣＩ−Ｉ／Ｆ
６〜７  ＨＤＤ
８  ＰＣＩカード
９  ＰＣＩカードアダプタ
１０，１５  ＰＣＩ−Ｉ／Ｆ接続コネクタ
１１  ＤＣ／ＤＣ変換部
１２，１８  ＨＤＤ接続コネクタ
１３，３１  制御ケーブル接続コネクタ
１４  制御ケーブル
１６，４２  ＰＣＩスロット
１７  ＰＣＩ−ＨＤＤ変換アダプタ
１９  ＩＯコントローラ
２０  コンピュータ装置
２１，２５  ＭＯＤＵＬＥ実装スロット
２６  ＰＣＩカード用ＭＯＤＵＬＥ
２７  ＨＤＤ用ＭＯＤＵＬＥ
２８  ＰＣＩ  ＭＯＴＨＥＲ  ＢＯＡＲＤ
２９〜３０，５２  ＭＯＤＵＬＥ接続コネクタ
３２〜３３，５３〜５４  ＨＤＤスロット
４０〜４１，６０  カバー
５１  ＰＣＩカード／ＨＤＤ用ＭＯＤＵＬＥ
１００  情報処理装置
１０１  ディスク装置実装用アダプタ
【図１】
2010191912.tif 000003
【図２】
2010191912.tif 000004
【図３】
2010191912.tif 000005
【図４】
2010191912.tif 000006
【図５】
2010191912.tif 000007
【図６】
2010191912.tif 000008